(57)【要約】【課題】電池収容部蓋を高価な材料で作らなくてもケース部材の上面より浮き上がりる恐れのないポータブル機器の電池収容部蓋の取付構造を提供する。【解決手段】ケース部材１に形成された電池収容部１ｃを開閉する電池収容部蓋７の一端に回動軸７ａ、７ａを突設し、電池収容部蓋７に上側に当接平面７ｃを有するリブ７ｂを形成し、ケース部材１の電池収容部１ｃの周囲または内部に回動軸７ａおよびリブ７ｂの当接平面の上方向の動きを規制する平面状の押さえ面を設け、電池収容部蓋７を回動させて電池収容部７を閉じた状態でケース部材１の上面と平行かつ回動軸７ａと直交方向に移動させることによりリブ７ｂの当接平面が前記押さえ面の下に入り込み前記押さえ面により前記電池収容部蓋７がロックされるように構成した。【選択図】        図２
2005078872.tif 000002
【特許請求の範囲】
【請求項１】
ケース部材に形成された電池収容部を開閉する電池収容部蓋の一端側で電池収容部若しくは電池収容部蓋に回動軸を設け、前記電池収容部蓋に上側に当接平面を有するリブを形成し、前記ケース部材の電池収容部の周囲または内部に前記回動軸及び／又はリブの当接平面の上方向の動きを規制する平面状の押さえ面を設け、前記電池収容部蓋を回動させて前記電池収容部を閉じた状態で前記ケース部材の上面と平行かつ前記回動軸と直交方向に移動させることにより前記リブの当接平面が前記押さえ面の下に入り込み前記押さえ面により前記電池収容部蓋がロックされるように構成したポータブル機器の電池収容部蓋の取付構造。
【請求項２】
前記ケース部材に前記電池収容部蓋が回動するときに前記リブを通過させる切欠きを設けた請求項１のポータブル機器の電池収容部蓋の取付構造。
【請求項３】
前記当接平面を有するリブに前記ケース部材に形成された前記切欠き内部に入り込むように案内される傾斜部を設けた請求項２のポータブル機器の電池収容部蓋の取付構造。
【請求項４】
前記電池収容部蓋を下方向から支える電池収容部蓋支持リブを前記ケース部材に突設した請求項１から３いずれかに記載されたポータブル機器の電池収容部蓋の取付構造。
【請求項５】
前記電池収容部の底面および側面に沿って延在し、一端を引張ることにより電池収容部に収容された電池を取り出すことを可能とする弾性体板状部材が前記電池収容部蓋を開方向に付勢するように構成した請求項１から４のにいずれかに記載したポータブル機器の電池収容部蓋の取付構造。
【請求項６】
前記ケース部材に回動自在に取付けられケース部材の上面を覆うカバーに干渉リブを突設し、前記電池収容部蓋がロックされていないときは前記干渉リブが前記電池収容部蓋と干渉して前記カバーが閉じられないように構成した請求項１から５のいずれかに記載したポータブル機器の電池収容部蓋の取付構造。
【請求項７】
前記電池収容部蓋の前記ケース部材の中心から最も離れた部分に前記ケース部材の上面より高くなる凸部を形成した請求項１から６のいずれかに記載したポータブル機器の電池収容部蓋の取付構造。
【発明の詳細な説明】
【技術分野】
【０００１】
この発明はポータブル機器の電池収容部蓋の取付構造に係わり、特に、電池収容部蓋が電池収容部を閉じた位置でのロック手段に関する。
【背景技術】
【０００２】
従来の電池収容部蓋の取付構造が適用されたポータブルＣＤプレーヤをの例を図９乃至図１１により説明する。図９および図１０に示す樹脂製のケース部材１にはカバー２が回動自在に支持されており、カバー２をケース部材１の上面１ａを覆う位置に回動させると、カバー２に固定された係止片４がケース部材１に設けられたロック機構３にロックされ、カバー２がケース部材１の上面１ａを覆う位置に固定される。
【０００３】
ケース部材１の内部に固定されたディスクモータの回転軸に固着されたターンテーブル５はディスク（ＣＤ）を支持して回転させる。ディスクが回転された状態でケース部材１に配置された光ピックアップ６が移動しながらディスクに記録された信号が読み取られディスクの記録が再生される。
【０００４】
ケース部材１には図１０に示すように電池収容部１ｃが形成されており、電池収容部１ｃは電池収容部蓋１１により閉じられる。すなわち、電池収容部蓋１１の一端に設けられた回動軸はケース部材１に回動自在に支持されており、電池収容部蓋１１が閉じられた状態では、その先端に設けられた固定用フック１１ａがケース部材１に係止される。
【発明の開示】
【発明が解決しようとする課題】
【０００５】
上記した電池収容部蓋の取付構造では、図１１に示すように電池収容部蓋１１が上側に凸となるように反るとケース部材１の上面１ａより浮き上がり回転中のディスク１２の記録面と接触しディスクを傷つける恐れがあった。そのため、電池収容部蓋を金属等特別に反りが出にくい材料で作らなければならず製造コストが高くなっていた。なお、通常の樹脂部材で電池収容部蓋を作ると、固定用フック１１ａがケース部材１に係止されるときの圧縮荷重により電池収容部蓋が反りやすくなる。
【０００６】
また、固定用フック１１ａがケース部材１に完全に係止されていない場合も電池収容部蓋１１が浮き上がりディスクを傷つける恐れがあった。ディスク１２の記録面に傷をつけると最悪の場合がディスクが再生できなくなることもあった。
【０００７】
この発明は上記した点に鑑みてなされたものであって、その目的とするところは、電池収容部蓋を高価な材料で作らなくてもケース部材の上面より浮き上がりる恐れのないポータブル機器の電池収容部蓋の取付構造を提供することにある。
【課題を解決するための手段】
【０００８】
この発明のポータブル機器の電池収容部蓋の取付構造は、ケース部材に形成された電池収容部を開閉する電池収容部蓋の一端側で電池収容部若しくは電池収容部蓋に回動軸を設け、前記電池収容部蓋に上側に当接平面を有するリブを形成し、前記ケース部材の電池収容部の周囲または内部に前記回動軸及び／又はリブの当接平面の上方向の動きを規制する平面状の押さえ面を設け、前記電池収容部蓋を回動させて前記電池収容部を閉じた状態で前記ケース部材の上面と平行かつ前記回動軸と直交方向に移動させることにより前記リブの当接平面が前記押さえ面の下に入り込み前記押さえ面により前記電池収容部蓋がロックされるように構成したものである。
【０００９】
また、前記ポータブル機器の電池収容部蓋の取付構造において、前記ケース部材に前記電池収容部蓋が回動するときに前記リブを通過させる切欠きを設けたものである。
【００１０】
また、前記ポータブル機器の電池収容部蓋の取付構造において、前記当接平面を有するリブに前記ケース部材に形成された前記切欠き内部に入り込むように案内される傾斜部を設けたものである。
【００１１】
また、前記各ポータブル機器の電池収容部蓋の取付構造において、前記電池収容部蓋を下方向から支える電池収容部蓋支持リブを前記ケース部材に突設したものである。
【００１２】
また、前記各ポータブル機器の電池収容部蓋の取付構造において、前記電池収容部の底面および側面に沿って延在し、一端を引張ることにより電池収容部に収容された電池を取り出すことを可能とする弾性体板状部材が前記電池収容部蓋を開方向に付勢するように構成したものである。
【００１３】
また、前記各ポータブル機器の電池収容部蓋の取付構造において、前記ケース部材に回動自在に取付けられケース部材の上面を覆うカバーに干渉リブを突設し、前記電池収容部蓋がロックされていないときは前記干渉リブが前記電池収容部蓋と干渉して前記カバーが閉じられないように構成したものである。
【００１４】
また、前記各ポータブル機器の電池収容部蓋の取付構造において、前記電池収容部蓋の前記ケース部材の中心から最も離れた部分に前記ケース部材の上面より高くなる凸部を形成したものてある。
【発明の効果】
【００１５】
この発明の電池収容部蓋の取付構造によれば、電池収容部蓋の反りが確実に防止されるため、電池収容部蓋を反りの発生しない高価な材料でなく、一般の樹脂で形成できるので製造コストが安くなる。
【発明を実施するための最良の形態】
【００１６】
以下この発明を実施するための最良の形態を実施例に即して説明する。
【実施例１】
【００１７】
図１はこの発明の実施例１である電池収容部蓋の取付構造が適用されたポータブルＣＤプレーヤを示す斜視図、図２は同電池収容部蓋の取付構造を一部部材を除いて示す分解斜視図、図３は同電池収容部蓋の取付構造を示す斜視図、図４は同電池収容部蓋の取付構造の他の状態を示す斜視図、図５は同電池収容部蓋の取付構造を示す断面図である。
【００１８】
図１に示すポータブルＣＤプレーヤは電池収容部蓋７および電池収容部蓋７で閉じられる電池収容部の構造およびカバー２に干渉リブ２ａが形成されている構造の他の部分は図９で説明した従来のポータブルＣＤプレーヤと同様であり、図１と図９において、同様の部材には同じ符号を付してその詳細な説明を省略する。
【００１９】
図２に電池収容部蓋７の取付構造が詳細に示されている。なお、図２では図５に示す弾性板状部材９は図示していない。図２に示すように、電池収容部蓋７の一端には回動軸７ａ、７ａが突出するように形成されており、下面の両側部にはリブ７ｂ、７ｂが形成されている。リブ７ｂ、７ｂは電池収容部蓋７の縁から突出しており、その突出部の上面はケース部材の押さえ面と摺接する当接平面７ｃ、７ｃとなっている。電池収容部蓋７の一端部に穴７ｄが形成されている。
【００２０】
電池収容部蓋７を弾性変形させて回動軸７ａ、７ａをケース部材１に形成された空所に入り込ませると、回動軸７ａ、７ａはケース部材１の上面１ａを形成する板状部の裏面により上方向位置が規制される。すなわち、ケース部材１の上面１ａを形成する板状部の裏面は回動軸７ａ、７ａの押さえ面となっている。
【００２１】
回動軸７ａ、７ａを図２における左下方向に移動させた状態で電池収容部蓋７を電池収容部１ｃを閉じるように回動させると、リブ７ｂ、７ｂはケース部材１の切欠き１ｂ、１ｂを通過して上面１ａを形成する板状部の裏面より下に位置するようになる。このとき電池収容部蓋７はケース部材１に設けられた電池収容部蓋支持リブ８、８と当接して電池収容部蓋７の回動位置が決めされる。
【００２２】
電池収容部蓋７が上記のように回動された状態が図３に示されている。この状態で電池収容部蓋７の穴７ｄに指をかけて図３に示す右上方向に押し込むと、図４に示すように電池収容部蓋７の後端縁（右上方向の縁）がケース部材１の段差に突き当たり電池収容部蓋７が位置決めされる。
【００２３】
このように電池収容部蓋７が位置決めされた状態では電池収容部蓋７は電池収容部蓋支持リブ８、８により下方向位置が規制され、回動軸７ａ、７ａおよびリブ７ｂ、７ｂの当接平面７ｃ、７ｃとケース部材１の上面１ａを形成する板状部の裏面すなわち押さえ面との当接により上方向位置が規制される。すなわち電池収容部蓋７がロック状態となる。このロック状態では電池収容部蓋７は両側部のリブ７ａ、７ａがケース部材１で押さえられるので電池収容部蓋７が上方に反ることが防止され、ディスクを傷つけることが防止される。なお、電池収容部蓋７の回動中心となる回動軸７ａは電池収容部側に設けてもよく、その場合は電池収容部蓋７は回動軸により押さえられる。
【００２４】
図３に示す状態では電池収容部蓋７の前端（図における左下側の縁）とケース部材１の段差との間に隙間がなく、カバー２の干渉リブ２ａが電池収容部蓋７に当接してカバー２が閉じられずディスクを回転させることができないが、図４に示す状態では電池収容部蓋７の前端とケース部材１の段差との間の隙間にカバー２の干渉リブ２ａが入り込みカバー２を閉じることができ、ディスクを回転させて再生することが可能となる。このように電池収容部蓋７がロックされていない状態でディスクを回転させディスクに傷をつけることが防止される。この干渉リブ２ａは、ディスク載置時にディスクの外縁よりも外側に位置するように構成され、ディスクが載置された状態でも電池収容部蓋７のロックを確実に検出できる。
【００２５】
電池収容部蓋７を開く場合は、上記と逆の動作が行われる。すなわち、電池収容部蓋７の穴７ｄに指をかけて図３に示す位置に移動させる。このときリブ７ｂ、７ｂはケース部材１の切欠き１ｂ、１ｂの下にくるので電池収容部蓋７を開くことができる。このように電池収容部蓋７のロックおよびロック解除の動作が電池収容部蓋７全体を水平方向に移動させて行われるので操作が容易である。なお、従来のものは小さい固定用ロックを操作しなければならず、操作が困難であった。
【００２６】
図５に電池収容部蓋７が開かれる途中の状態が示されている。電池収容部１ｃに配置されている弾性板状部材９は電池収容部蓋７を開方向に付勢する。そして、電池収容部蓋７は弾性板状部材９により９０°以上に開かれて開位置が安定する。そして、弾性板状部材９の上に置かれた電池は弾性板状部材９の端を引っ張ることにより容易に電池収容部１ｃから取り出すことができる。弾性板状部材９は高弾性の樹脂シートまたは金属シートで作ることができる。
【実施例２】
【００２７】
図６はこの発明の実施例２である電池収容部蓋の取付構造を示す斜視図である。この例では電池収容部蓋７の前方右端部すなわちケース部材１の中心から最も遠い位置に凸部７ｅが形成されている。他の構成は実施例１と同様である。この例では何等かの不具合でディスクと電池収容部蓋７とが接触する場合にディスクの外周部の記録のない部分のみが電池収容部蓋７と接触するのでディスクが再生不能となることがない。
【実施例３】
【００２８】
図７はこの発明の実施例３である電池収容部蓋の取付構造を一部部材を除いて示す分解斜視図である。この例では電池収容部蓋７のリブ７ｂに傾斜部７ｆが形成されている。他の構成は実施例１と同様である。傾斜部７ｆは電池収容部蓋７を閉じるときにリブ７ｂをケース部材１の切欠き１ｂに誘い込むガイドとなるので電池収容部蓋７の位置決めが不完全であっても電池収容部蓋７を容易に閉じることができる。
【実施例４】
【００２９】
図８はこの発明の実施例４である電池収容部蓋の取付構造を一部部材を除いて示す分解斜視図である。この例では電池収容部蓋７の前端にコ字形のリブ７ｈが形成され、電池収容部蓋７の後端に板形状のリブ７ｇが形成され、ケース部材１のリブ７ｈとリブ７ｇと対応する位置に穴１ｄおよび切欠き１ｆが夫々形成されている。他の構成は実施例１と同様である。
【００３０】
この例では電池収容部蓋７を閉じるときにリブ７ｈおよびリブ７ｇが夫々穴１ｄおよび切欠き１ｆに入り込み電池収容部蓋７がロックされるとリブ７ｈおよびリブ７ｇがケース部材１で押さえられる。このような構成で電池収容部蓋７の反りがさらに確実に防止されるので電池収容部蓋７を薄板で形成することができる。
【００３１】
なお、コ字形のリブ７ｈの代わりにＬ字形のリブを電池収容部蓋７の下面中央に形成し、電池収容部の中央に逆Ｌ字形の支柱を形成し、Ｌ字形のリブを逆Ｌ字形の支柱で押さえるようにして電池収容部蓋７の中央部を押さえ反りをさらに確実に防止することもできる。この場合逆Ｌ字形の支柱は電池の位置決めとしても作用して電池の挿入が容易となる。
【図面の簡単な説明】
【００３２】
【図１】この発明の実施例１である電池収容部蓋の取付構造が適用されたポータブルＣＤプレーヤを示す斜視図である。
【図２】同電池収容部蓋の取付構造を一部部材を除いて示す分解斜視図である。
【図３】同電池収容部蓋の取付構造を示す斜視図である。
【図４】同電池収容部蓋の取付構造の他の状態を示す斜視図である。
【図５】同電池収容部蓋の取付構造を示す断面図である。
【図６】この発明の実施例２である電池収容部蓋の取付構造を示す斜視図である。
【図７】この発明の実施例３である電池収容部蓋の取付構造を一部部材を除いて示す分解斜視図である。
【図８】この発明の実施例４である電池収容部蓋の取付構造を一部部材を除いて示す分解斜視図である。
【図９】従来の電池収容部蓋の取付構造が適用されたポータブルＣＤプレーヤを示す斜視図である。
【図１０】同ポータブルＣＤプレーヤの他の状態を示す斜視図である。
【図１１】同電池収容部蓋の取付構造の使用状態の例を示す断面図である。
【符号の説明】
【００３３】
１  ケース部材、１ａ  上面、１ｂ  切欠き、１ｃ  電池収容部、１ｄ  穴
１ｆ  切欠き
２  カバー、２ａ  干渉リブ
３  ロック機構
４  係止片
５  ターンテーブル
６  光ピックアップ
７  電池収容部蓋、７ａ  回動軸、７ｂ  リブ、７ｃ  当接平面、７ｄ  穴
７ｅ  凸部、７ｆ  傾斜部、７ｇ  リブ、７ｈ  リブ
８  電池収容部蓋支持リブ
９  弾性体板状部材
１１  電池収容部蓋、１１ａ  固定用フック
１２  ディスク
【図１】
2005078872.tif 000003
【図２】
2005078872.tif 000004
【図３】
2005078872.tif 000005
【図４】
2005078872.tif 000006
【図５】
2005078872.tif 000007
【図６】
2005078872.tif 000008
【図７】
2005078872.tif 000009
【図８】
2005078872.tif 000010
【図９】
2005078872.tif 000011
【図１０】
2005078872.tif 000012
【図１１】
2005078872.tif 000013